Podtech/llm-jp-corpus-v4-ja_patent huggingface dataset:
【手続補正書】
【提出日】平成21年11月9日(2009.11.9)
【手続補正１】
【補正対象書類名】明細書
【補正対象項目名】０００９
【補正方法】変更
【補正の内容】
【０００９】
上記目的は、ペルチェ素子を用いた静電霧化機能を達成し、ペルチェ素子の放熱面の放熱を促進するための冷却ファンと、室内の温度を検出する室温サーミスタと、室内の湿度を検出する室内湿度センサと、を備え、室温サーミスタ及び室内湿度センサの検出値に基づいて、冷却ファンの回転数及びペルチェ素子に印加する電圧を制御する空気調和機であって、室温サーミスタ及び室内湿度センサの検出値が所定値以下の場合には、冷却ファン及びペルチェ素子への電圧の印加を停止し、室内湿度センサの検出値が所定値以上の場合には、この所定値より小さい場合よりも冷却ファンの回転数及びペルチェ素子の印加電圧を低くすることにより達成される。
【手続補正２】
【補正対象書類名】明細書
【補正対象項目名】００１０
【補正方法】削除
【補正の内容】
【手続補正３】
【補正対象書類名】明細書
【補正対象項目名】００１１
【補正方法】削除
【補正の内容】
【手続補正４】
【補正対象書類名】明細書
【補正対象項目名】００１２
【補正方法】削除
【補正の内容】
【手続補正５】
【補正対象書類名】明細書
【補正対象項目名】００１３
【補正方法】削除
【補正の内容】
【手続補正６】
【補正対象書類名】特許請求の範囲
【補正対象項目名】全文
【補正方法】変更
【補正の内容】
【特許請求の範囲】
【請求項１】
ペルチェ素子を用いた静電霧化機能を達成し、前記ペルチェ素子の放熱面の放熱を促進するための冷却ファンと、室内の温度を検出する室温サーミスタと、室内の湿度を検出する室内湿度センサと、を備え、
前記室温サーミスタ及び前記室内湿度センサの検出値に基づいて、前記冷却ファンの回転数及び前記ペルチェ素子に印加する電圧を制御する空気調和機であって、
前記室温サーミスタ及び前記室内湿度センサの検出値が所定値以下の場合には、前記冷却ファン及び前記ペルチェ素子への電圧の印加を停止し、
前記室内湿度センサの検出値が所定値以上の場合には、この所定値より小さい場合よりも前記冷却ファンの回転数及び前記ペルチェ素子の印加電圧を低くすることを特徴とする空気調和機。
【手続補正書】
【提出日】平成22年3月5日(2010.3.5)
【手続補正１】
【補正対象書類名】特許請求の範囲
【補正対象項目名】全文
【補正方法】変更
【補正の内容】
【特許請求の範囲】
【請求項１】
行列状に配列された画素群が少なくとも列方向に２分割された複数のブロックから構成され、各ブロックでの各列方向の画素で共通して接続されている垂直信号出力線を備え、行方向に画素を走査してフレーム単位で画素データを出力する撮像素子と、
前記撮像素子の列方向に２分割された一方のブロックが出力する画素データに対して前記フレーム単位の遅延を与えるフレーム遅延手段と、
前記フレーム遅延手段により遅延を与えられた画素データ及び他方のブロックが出力する画素データを基に画像データを生成する画像データ生成手段と
を具備することを特徴とする撮像装置。
【請求項２】
前記撮像素子の前記画素群は水平方向にも分割されていることを特徴とする請求項１に記載の撮像装置。
【請求項３】
前記垂直信号出力線毎に接続されたアナログ／ディジタル変換手段を更に具備することを特徴とする請求項１または２に記載の撮像装置。
【請求項４】
前記アナログ／ディジタル変換手段は、デュアルスロープ積分方式又はマルチスロープ積分方式によりアナログ／ディジタル変換を行うことを特徴とする請求項３に記載の撮像装置。
【請求項５】
前記撮像素子の受光面上に被写体像を結像するための光学系と、
前記画像データ生成手段が生成した画像データを標準テレビジョン信号に変換する変換手段と
を具備することを特徴とする請求項１に記載の撮像装置。
【手続補正２】
【補正対象書類名】明細書
【補正対象項目名】０００９
【補正方法】変更
【補正の内容】
【０００９】
この発明は、上述した課題を解決すべくなされたもので、本発明による撮像装置においては、行列状に配列された画素群が少なくとも列方向に２分割された複数のブロックから構成され、各ブロックでの各列方向の画素で共通して接続されている垂直信号出力線を備え、行方向に画素を走査してフレーム単位で画素データを出力する撮像素子と、撮像素子の列方向に２分割された一方のブロックが出力する画素データに対してフレーム単位の遅延を与えるフレーム遅延手段と、フレーム遅延手段により遅延を与えられた画素データ及び他方のブロックが出力する画素データを基に画像データを生成する画像データ生成手段とを具備することを特徴とする。
【手続補正書】
【提出日】平成22年4月9日(2010.4.9)
【手続補正１】
【補正対象書類名】特許請求の範囲
【補正対象項目名】全文
【補正方法】変更
【補正の内容】
【特許請求の範囲】
【請求項１】
電動工具を収納可能な電動工具収納部を有する収納側ケースと、
該収納側ケースの上方に回動可能に設けられる第１の蓋と、
該第１の蓋に回動可能に連結部により連結される第２の蓋と、を有する電動工具収納ケースであって、
前記第１の蓋と、前記第２の蓋とを回動不能に固定する第１のロック部材を有しており、
前記第１のロック部材は、前記第１の蓋及び前記第２の蓋に対して移動可能であり、
前記第１のロック部材は、前記第１の蓋と前記第２の蓋とを回動不能に固定するロック位置と、前記第１の蓋が前記第２の蓋に対して回動可能なロック解除位置とに移動でき、
前記第１の蓋と、前記収納側ケースとを回動不能にロックする第２のロック部材を２つ有しており、
前記第１のロック部材は、前記第２のロック部材の２つの間に設けられていることを特徴とする電動工具収納ケース。
【請求項２】
前記第１の蓋には、凹部が設けられており、
第１のロック部材は、該凹部に設けられていることを特徴とする請求項１記載の電動工具収納ケース。
【請求項３】
前記収納側ケースには、把持部が回動可能に設けられており、
前記収納側ケースには、前記第２のロック部材が２つ設けられることを特徴とする請求項１又は請求項２記載の電動工具収納ケース。
【手続補正書】
【提出日】平成22年2月22日(2010.2.22)
【手続補正１】
【補正対象書類名】特許請求の範囲
【補正対象項目名】請求項１
【補正方法】変更
【補正の内容】
【請求項１】
(A)ポリオール加硫性フッ素ゴム100重量部当り、(B)土状黒鉛10〜50重量部、(C)フェノール樹脂1〜15重量部、(D)アミノ基含有アルコキシシランおよびビニル基含有アルコキシシランの1種または2種以上よりなるシランカップリング剤1〜4重量部、(E)ポリオール系加硫剤0.5〜8重量部および(F)加硫促進剤0.5〜6重量部を含有せしめたフッ素ゴム組成物を金属板上に適用し、フッ素ゴム組成物を加硫して積層せしめたフッ素ゴム金属積層板。
【手続補正２】
【補正対象書類名】明細書
【補正対象項目名】０００６
【補正方法】変更
【補正の内容】
【０００６】
かかる本発明の目的は、(A)ポリオール加硫性フッ素ゴム100重量部当り、(B)土状黒鉛10〜50重量部、(C)フェノール樹脂1〜15重量部、(D)アミノ基含有アルコキシシランおよびビニル基含有アルコキシシランの1種または2種以上よりなるシランカップリング剤1〜4重量部、(E)ポリオール系加硫剤0.5〜8重量部および(F)加硫促進剤0.5〜6重量部を含有せしめたフッ素ゴム組成物を金属板上に適用し、フッ素ゴム組成物を加硫して積層せしめたフッ素ゴム金属積層板によって達成される。
【手続補正３】
【補正対象書類名】明細書
【補正対象項目名】００２７
【補正方法】変更
【補正の内容】
【００２７】
実施例１
フッ素ゴム(デュポン社製品バイトンA-200)                       100重量部
MTカーボンブラック(N990)                                       20  〃
ホワイトカーボン(東ソーシリカ社製品ニップシールER)             10  〃
グラファイト(日電カーボン製品A-O；土状黒鉛、平均粒径13μm)     30  〃
酸化マグネシウム(協和化学製品マグネシア#30)                     5  〃
加硫剤(デュポン社製品キュラティブ#30) 注１)                     4  〃
加硫促進剤(同社製品キュラティブ#20) 注２)                       2  〃
シランカップリング剤(東レ・ダウコーティング製品APZ-6633)      2.5  〃
注３)                                                     (固形分換算)
エポキシ変性フェノール樹脂(大日本インキ化学製品エピクロンN695)  4  〃
注１) ビスフェノールAF50重量％、フッ素ゴム(バイトンE-45)50重量％
注２) 有機ホスホニウム塩33重量％、フッ素ゴム(バイトンE-45)67重量％
注３) アミノ基含有アルコキシシランとビニル基含有アルコキシシランとの重量
比1：1混合物)
以上の各成分の内、加硫促進剤を除いて、加圧ニーダで混練した後、ゴムコンパウンドを排出し、オープンロールで加硫促進剤を混合し、ゴム組成物を調製した。
【手続補正書】
【提出日】平成22年10月8日(2010.10.8)
【手続補正１】
【補正対象書類名】特許請求の範囲
【補正対象項目名】全文
【補正方法】変更
【補正の内容】
【特許請求の範囲】
【請求項１】
上部が開放された箱型の袋体を網状に編んで形成し、袋体上端には対向する辺に、相互に結束可能な複数の紐が延長された、紙紐から成る収納袋。
【請求項２】
袋体は、上開き状に形成され、上面が下面より広い逆角錐台形に形成され、四隅にマチを形成した請求項１の収納袋。
【手続補正２】
【補正対象書類名】明細書
【補正対象項目名】００１３
【補正方法】変更
【補正の内容】
【００１３】また、第２の課題の解決手段は、袋体は上開きに形成され、四隅にマチを形成した収納袋を提供するものである。
【手続補正３】
【補正対象書類名】明細書
【補正対象項目名】００１４
【補正方法】変更
【補正の内容】
【００１４】マチは逆三角形に形成される。
【手続補正書】
【提出日】平成22年9月28日(2010.9.28)
【手続補正１】
【補正対象書類名】特許請求の範囲
【補正対象項目名】全文
【補正方法】変更
【補正の内容】
【特許請求の範囲】
【請求項１】
被験者の排泄する尿の温度である尿温を測定し、その結果に基づいて被験者の健康状態に関する健康情報を報知する尿温測定装置において、
尿温に影響を与える尿温影響要因の状態値を取得する尿温影響要因状態取得手段と、
前記尿温影響要因状態取得手段が取得した前記尿温影響要因の状態値が、被験者の通常値範囲とした状態基準範囲に含まれるか否かを判断する尿温影響要因状態判定手段と、を有し、
測定した尿温が、測定前に蓄積された尿温値で作成される尿温基準範囲外となった場合に、前記尿温影響要因状態取得手段が取得した尿温影響要因の状態値のうち、前記尿温影響要因状態判定手段によって状態基準範囲外と判定された前記尿温影響要因の状態値に基づいて、健康情報を作成して報知することを特徴とする尿温測定装置。
【請求項２】
前記尿温基準範囲は、被験者の過去の一定期間の尿温値の中で、前記尿温影響要因状態判定手段が状態基準範囲の内とした尿温値にて、作成されることを特徴とする請求項１記載の尿温測定装置。
【請求項３】
前記尿温基準範囲は、被験者の過去の一定期間の尿温値の中で、予め決められた分布範囲の尿温値にて、作成されることを特徴とする請求項１記載の尿温測定装置。
【請求項４】
前記状態基準範囲は、被験者の過去の一定期間の状態情報の情報値の中で、予め決められた分布範囲の情報値にて、作成されることを特徴とする請求項１記載の尿温測定装置。
【手続補正２】
【補正対象書類名】明細書
【補正対象項目名】発明の名称
【補正方法】変更
【補正の内容】
【発明の名称】尿温測定装置
【手続補正３】
【補正対象書類名】明細書
【補正対象項目名】００１０
【補正方法】変更
【補正の内容】
【００１０】
上記課題を解決するために本発明では、被験者の排泄する尿の温度である尿温を測定し、その結果に基づいて被験者の健康状態に関する健康情報を報知する尿温測定装置において、尿温に影響を与える尿温影響要因の状態値を取得する尿温影響要因状態取得手段と、前記尿温影響要因状態取得手段が取得した前記尿温影響要因の状態値が、被験者の通常値範囲とした状態基準範囲に含まれるか否かを判断する尿温影響要因状態判定手段と、を有し、測定した尿温が、測定前に蓄積された尿温値で作成される尿温基準範囲外となった場合に、前記尿温影響要因状態取得手段が取得した尿温影響要因の状態値のうち、前記尿温影響要因状態判定手段によって状態基準範囲外と判定された前記尿温影響要因の状態値に基づいて、健康情報を作成して報知することを特徴としている。
【手続補正４】
【補正対象書類名】明細書
【補正対象項目名】００１１
【補正方法】変更
【補正の内容】
【００１１】
上記構成により、被験者は、尿温と、生活情報および生体情報という尿温影響要因を測定することにより、体の健康状態を示す尿温が基準範囲の外に変動した場合に、その要因を生活情報および生体情報から適切に把握することが可能である。健康状態を示す尿温の変動を第一の情報とし、被験者は尿温が変動した要因を把握することで、日々の健康を保つための指針として被験者自身が活用することが可能である。
【手続補正書】
【提出日】平成22年7月29日(2010.7.29)
【手続補正１】
【補正対象書類名】特許請求の範囲
【補正対象項目名】全文
【補正方法】変更
【補正の内容】
【特許請求の範囲】
【請求項１】
遊技の進行を制御する主制御基板と、
該主制御基板からのコマンドに基づいて演出を制御する周辺制御基板と、
該周辺制御基板からのコマンドに基づいてステッピングモータの駆動を制御する駆動基板と、
を備えるパチンコ遊技機であって、
前記駆動基板は、少なくとも、
前記周辺制御基板からのコマンドを受け止めるバッファ回路と、
前記ステッピングモータの駆動コイルに駆動電流を出力する駆動回路と、
を備え、
前記バッファ回路は、前記周辺制御基板からのラッチ信号が入力されたことを契機として当該バッファ回路で受け止めたコマンドを電圧として前記駆動回路の入力端子に印加し、
前記駆動回路は、前記ステッピングモータの電気角がゼロ度となると、当該駆動回路の入力端子に印加されている電圧に基づいて当該ステッピングモータの駆動コイルに駆動電流を出力するマイクロステップ駆動の駆動モードを切り替え、該切り替えた前記マイクロステップ駆動の駆動モードに基づいて当該ステッピングモータの出力軸を回転させて当該ステッピングモータの電気角を進ませ、
前記周辺制御基板は、少なくとも、
前記ステッピングモータの出力軸を回転させる駆動データをコマンドとして前記駆動基板に出力する駆動データ出力制御手段と、
該駆動データ出力制御手段が前記ステッピングモータの出力軸を回転させる駆動データをすべて前記駆動基板に出力完了した後、前記ラッチ信号を当該駆動基板に出力するラッチ信号出力制御手段と、
該ラッチ信号出力制御手段が前記ラッチ信号を出力した後、前記駆動データ出力制御手段で出力した前記ステッピングモータの出力軸を回転させる同一の駆動データをコマンドとして当該駆動データ出力制御手段で前記駆動基板に出力して当該駆動データ出力制御手段が当該同一の駆動データをすべて出力完了した後、当該ラッチ信号出力制御手段で前記ラッチ信号を当該駆動基板に出力する、制御処理を、予め定めた期間ごとに、繰り返し行う制御処理繰り返し制御手段と、
前記予め定めた期間が経過した後、前記ステッピングモータの出力軸を回転させる駆動データを更新する駆動データ更新制御手段と、
を備えることを特徴とするパチンコ遊技機。
【請求項２】
前記バッファ回路は、シリアルパラレル変換回路であることを特徴とする請求項１に記載のパチンコ遊技機。
【手続補正２】
【補正対象書類名】明細書
【補正対象項目名】００１５
【補正方法】変更
【補正の内容】
【００１５】
本発明の請求項１においては、ノイズの影響によるステッピングモータの誤動作を防止することができる。請求項２においては、周辺制御基板は、駆動データ（コマンド）をノイズの影響を受けにくいシリアル方式で駆動基板に出力することができる。
【手続補正書】
【提出日】平成22年9月28日(2010.9.28)
【手続補正１】
【補正対象書類名】特許請求の範囲
【補正対象項目名】全文
【補正方法】変更
【補正の内容】
【特許請求の範囲】
【請求項１】
購入者が選択した商品を販売員が販売するに用いられる什器において、
複数種類の商品をそれぞれ収納できる複数のコラムを有する商品収納部と、
前記商品収納部とは別体であって、前記収納した複数種類の商品または当該商品ダミーをそれぞれ陳列した商品陳列棚を有する商品陳列部と、
前記商品陳列棚に陳列された前記複数種類の商品または当該商品ダミーに対応してそれぞれ設けられた選択ボタンと、
前記商品収納部の各コラムに設けられたランプと、
前記選択ボタンが選択されたときに対応する前記商品が収納された前記コラムのランプを点灯させる制御部と、
を備えた什器。
【請求項２】
購入者が選択した商品を販売員が販売するに用いられる什器において、
複数種類の商品をそれぞれ収納できる複数のコラムを有する商品収納部と、
前記商品収納部とは別体であって、前記収納した複数種類の商品または当該商品ダミーをそれぞれ陳列した商品陳列棚を有する商品陳列部と、
前記商品陳列棚に陳列された前記複数種類の商品または当該商品ダミーに対応してそれぞれ設けられた選択ボタンと、
前記商品収納部の各コラムを前方に押し出す押し出し部と、
前記選択ボタンが選択されたときに対応する前記商品が収納された前記コラムを前記押し出し部を用いて前方に押し出す制御部と、
を備えた什器。
【請求項３】
前記制御部は、
前記選択ボタンが選択されたときに、ブザーを鳴らす、または、回転灯を点灯させる、
請求項１または２記載の什器。
【手続補正２】
【補正対象書類名】明細書
【補正対象項目名】０００６
【補正方法】変更
【補正の内容】
【０００６】
本発明は、購入者が選択した商品を販売員が販売するに用いられる什器において、複数種類の商品をそれぞれ収納できる複数のコラムを有する商品収納部と、前記商品収納部とは別体であって、前記収納した複数種類の商品または当該商品ダミーをそれぞれ陳列した商品陳列棚を有する商品陳列部と、前記商品陳列棚に陳列された前記複数種類の商品または当該商品ダミーに対応してそれぞれ設けられた選択ボタンと、前記商品収納部の各コラムに設けられたランプと、前記選択ボタンが選択されたときに対応する前記商品が収納された前記コラムのランプを点灯させる制御部と、を備えた什器である。
【手続補正３】
【補正対象書類名】明細書
【補正対象項目名】００１７
【補正方法】変更
【補正の内容】
【００１７】
また、この商品収納部１６の上部には、シャッター式の扉３４が設けられ、販売員によって開け閉め可能となっている。
【手続補正４】
【補正対象書類名】明細書
【補正対象項目名】００１８
【補正方法】変更
【補正の内容】
【００１８】
商品収納部１６の下部には、扉３４の鍵とその鍵を解錠または施錠するための鍵部３６が設けられている。また、各ＬＥＤ３２の点灯を消灯させるためのリセットスイッチ３８も設けられている。
【手続補正５】
【補正対象書類名】明細書
【補正対象項目名】００１９
【補正方法】変更
【補正の内容】
【００１９】
（４）コラム３０の構造
次に、図５〜図９に基づいて各コラム３０の構造について説明する。
【手続補正６】
【補正対象書類名】明細書
【補正対象項目名】００２２
【補正方法】変更
【補正の内容】
【００２２】
商品収納部１６の各コラム３０にタバコ１を収納する場合には、移動壁４４を巻きバネ５０の付勢力に反して後方に引き、タバコ１を図５に示すように収納していく。この場合に、巻きバネ５０の板部４８は移動壁４４と共に後方に引かれる。
【手続補正７】
【補正対象書類名】明細書
【補正対象項目名】００２３
【補正方法】変更
【補正の内容】
【００２３】
巻きバネ５０のテープ状の板部４８には、長手方向に複数個開口したした測定孔５４が設けられている。この測定孔５４は、図７に示すように不規則に開口している。
【手続補正８】
【補正対象書類名】明細書
【補正対象項目名】００２５
【補正方法】変更
【補正の内容】
【００２５】
なお、この板部４８に開口した測定孔５４としては、図７に示すような不規則な開口状態だけでなく、図８に示すように長手方向に一直線に開口しつつ、幅方向に傾斜した状態や、図９に示すように長手方向に等間隔に開口したものであってもよい。
【手続補正９】
【補正対象書類名】明細書
【補正対象項目名】００２７
【補正方法】変更
【補正の内容】
【００２７】
（５）什器１０とレジスター装置１２の電気的構成
次に、図１０に基づいて什器１０とレジスター装置１２の電気的構成について説明する。
【手続補正１０】
【補正対象書類名】明細書
【補正対象項目名】００３０
【補正方法】変更
【補正の内容】
【００３０】
なお、図８に示すような長手方向に開口した測定孔５４の場合には、幅方向の位置によって、タバコの個数を検出する。図９に示すような測定孔５４の場合には、測定孔５４の絶対位置でなく、相対位置を検出してタバコの個数を測定する。
【手続補正１１】
【補正対象書類名】明細書
【補正対象項目名】００３７
【補正方法】変更
【補正の内容】
【００３７】
販売者は、その点灯したＬＥＤ３２に対応するコラム３０からタバコ１を取り出す。タバコ１を販売員が取り出した後、リセットスイッチ３８を押し、ＬＥＤ３２を消灯させる。そして、入力部２０とレジスター部２２を用いて販売を行なう。このとき、タバコ１を取り出すと、移動壁４４が移動し前記した測定孔５４が移動することにより、コラム３０の在庫数が変化する。
【手続補正１２】
【補正対象書類名】明細書
【補正対象項目名】００５６
【補正方法】変更
【補正の内容】
【００５６】
また、（４）の項目で説明したコラム３０の構成は、商品収納部しか有さない什器にも適用できる。
【手続補正書】
【提出日】平成22年9月22日(2010.9.22)
【手続補正１】
【補正対象書類名】特許請求の範囲
【補正対象項目名】全文
【補正方法】変更
【補正の内容】
【特許請求の範囲】
【請求項１】
吸収体と、前記吸収体の少なくとも表面側を覆う透液性の表面シートと、前記吸収体の少なくとも裏面側を覆う不透液性の防漏シートとを含み、表面がわ両側部に立体ギャザーが形成された使い捨て紙おむつにおいて、
前記吸収体の長手方向両側部において、不透液性の被覆シートが吸収体側縁部を巻き込んで吸収体の裏面側から表面側まで延在して固定され、
前記被覆シートの表面側延在部分に複数の開孔が設けられるとともに、前記開孔には、前記吸収体の短手方向線に対して、長手方向のなす角が９０°未満で形成された長孔が含まれていることを特徴とする使い捨て紙おむつ。
【請求項２】
前記被覆シートが前記防漏シートによって構成され、
前記吸収体の長手方向両側部において、前記防漏シートが吸収体側縁部を巻き込んで吸収体の表面側まで延在して固定され、前記防漏シートの表面側延在部分に複数の開孔が設けられている請求項１記載の使い捨て紙おむつ。
【請求項３】
前記吸収体の長手方向両側部において、前記被覆シート又は防漏シートが吸収体側縁部を巻き込んで吸収体の表面側まで延在して固定されるとともに、前記表面シートが前記被覆シート又は防漏シートによって巻き込まれた吸収体側縁部をさらに上側から巻き込んで吸収体の裏面側まで延在して固定され、かつ前記立体ギャザーを形成するためのギャザー不織布が前記表面シートによって巻き込まれた吸収体側縁部をさらに上側から巻き込んで吸収体の裏面側まで延在して固定され、前記被覆シート又は防漏シートの表面側延在部分に複数の開孔が設けられている請求項１、２いずれかに記載の使い捨て紙おむつ。
【請求項４】
前記被覆シート又は防漏シートの表面側延在部分に対応する前記表面シートに開孔が設けられている請求項１〜３いずれかに記載の使い捨て紙おむつ。
【請求項５】
前記被覆シート又は防漏シートの表面側延在部分に設けられる開孔は、装着時に股間部に相当する部位とそれ以外の前後端部とで開孔率を異なるようにしてある請求項１〜４いずれかに記載の使い捨て紙おむつ。
【請求項６】
前記被覆シート又は防漏シートの表面側延在部分に設けられる開孔は、装着時に股間部に相当する部位とそれ以外の前後端部とで開孔の形状及び／又は大きさを異なるようにしてある請求項１〜４いずれかに記載の使い捨て紙おむつ。
【請求項７】
前記被覆シート又は防漏シートの表面側延在部分に設けられる開孔は、装着時に股間部に相当する部位以外の前後端部に、股間部から前後端部に向かって漸次小さくなるようにしてある請求項１〜４いずれかに記載の使い捨て紙おむつ。
【請求項８】
前記被覆シート又は防漏シートの表面側延在部分に設けられる開孔は、前記吸収体の長手方向長さＬに対して、吸収体の長手方向両端から最大Ｌ／６の範囲には形成しないようにしてある請求項１〜４いずれかに記載の使い捨て紙おむつ。
【請求項９】
前記被覆シート又は防漏シートの表面側延在部分に設けられる開孔は、装着時に股間部に相当する部位に設けられる開孔群と、それ以外の前後端部に設けられる開孔群との間に離隔部を形成してある請求項１〜４いずれかに記載の使い捨て紙おむつ。
【請求項１０】
前記被覆シート又は防漏シートの表面側延在部分に設けられる開孔群の全部又は一部の配列方向は、前記吸収体の長手方向に対して傾斜して配置されている請求項９記載の使い捨て紙おむつ。
【請求項１１】
前記被覆シート又は防漏シートの表面側延在部分に設けられる開孔は、長孔とされるとともに、この長孔の長手方向が前記吸収体の短手方向線に対して傾斜して配置されている請求項１〜１０いずれかに記載の使い捨て紙おむつ。
【請求項１２】
前記被覆シート又は防漏シートの表面側延在部分に設けられる開孔は、前記被覆シート又は防漏シートの厚み方向に対し、表面側が広く裏面側が狭くなるように形成されている請求項１〜１１いずれかに記載の使い捨て紙おむつ。
【手続補正２】
【補正対象書類名】明細書
【補正対象項目名】００１０
【補正方法】変更
【補正の内容】
【００１０】
前記課題を解決するために請求項１に係る本発明として、吸収体と、前記吸収体の少なくとも表面側を覆う透液性の表面シートと、前記吸収体の少なくとも裏面側を覆う不透液性の防漏シートとを含み、表面がわ両側部に立体ギャザーが形成された使い捨て紙おむつにおいて、
前記吸収体の長手方向両側部において、不透液性の被覆シートが吸収体側縁部を巻き込んで吸収体の裏面側から表面側まで延在して固定され、
前記被覆シートの表面側延在部分に複数の開孔が設けられるとともに、前記開孔には、前記吸収体の短手方向線に対して、長手方向のなす角が９０°未満で形成された長孔が含まれていることを特徴とする使い捨て紙おむつが提供される。
【手続補正３】
【補正対象書類名】明細書
【補正対象項目名】００３１
【補正方法】変更
【補正の内容】
【００３１】
請求項１１に係る本発明として、前記被覆シート又は防漏シートの表面側延在部分に設けられる開孔は、長孔とされるとともに、この長孔の長手方向が前記吸収体の短手方向線に対して傾斜して配置されている請求項１〜１０いずれかに記載の使い捨て紙おむつが提供される。
【手続補正４】
【補正対象書類名】明細書
【補正対象項目名】００３２
【補正方法】変更
【補正の内容】
【００３２】
上記請求項１１記載の発明は、前記開孔が長孔とされるとともに、この長孔の長手方向が前記吸収体の短手方向線に対して傾斜して配置されることにより、吸収した体液を吸収体中央部へ誘導できるようになる。なお、ここで言う「長孔」とは、真円以外の全ての形状を含むものとする。
【手続補正５】
【補正対象書類名】明細書
【補正対象項目名】００７１
【補正方法】変更
【補正の内容】
【００７１】
図１１は、防漏シート１２の表面側延在部分に設けられる開孔３が長孔とされるとともに、この長孔の長手方向が吸収体１３の短手方向線に対して傾斜して配置される場合の形態例である。このように、長孔の長手方向が吸収体１３の短手方向線に対して傾斜して設けられることにより、吸収した体液を吸収体中央部へ誘導できるようになる。具体的には、図１１に示されるように、長孔の長手方向が吸収体の短手方向線に対して傾斜して配置されることが好ましく、このときの傾斜角は、短手方向線に対して前記長孔の長手方向のなす角をθとすると、０＜θ＜９０°、特に３０＜θ＜６０°の範囲内となるようにするのが好ましい。なお、本形態は、前記ストレート吸収体にも同様に適用可能である。なお、ここで言う「長孔」とは、長手寸法と短手寸法を持つ、真円以外の全ての形状を含むものとするが、長孔として好ましい形状は楕円、面取りした長方形やひし形などで、長手方向の寸法と短手方向の寸法の比率が２〜５であるものである。
【手続補正６】
【補正対象書類名】図面
【補正対象項目名】図９
【補正方法】変更
【補正の内容】
【図９】
2009082358.tif 000001
【手続補正７】
【補正対象書類名】図面
【補正対象項目名】図１１
【補正方法】変更
【補正の内容】
【図１１】
2009082358.tif 000002
【手続補正書】
【提出日】平成22年9月27日(2010.9.27)
【手続補正１】
【補正対象書類名】特許請求の範囲
【補正対象項目名】全文
【補正方法】変更
【補正の内容】
【特許請求の範囲】
【請求項１】
始動条件の成立に伴って抽選を行い、所定の抽選結果が得られた場合に通常状態から該通常状態より遊技者に有利な特別遊技状態へと移行し、遊技媒体の通過に伴って所定の遊技価値を遊技者に付与する特定通過口の入口側に設けられている開閉部材を閉鎖状態から開放状態へと移行して該遊技媒体の通過を前記通常状態に比べて容易とする遊技機の外部に設けられ、該遊技機から受信した各種信号を用いて該遊技機に対する管理を行う遊技機の管理手段において、
前記遊技機から、通常状態にある場合に前記特定通過口への前記遊技媒体の通過が検出されたことを示す閉鎖時入賞信号を受信したかを判定する判定手段と、その判定手段により前記閉鎖時入賞信号が受信されたと判定された場合に、該遊技機に対する不正行為を監視する不正監視手段を備えていることを特徴とする遊技機の管理手段。
【請求項２】
前記判定手段は、前記遊技機から受信した信号の受信期間に基づいて、前記閉鎖時入賞信号と前記遊技機が前記特別遊技状態中であることを示す特別遊技信号とを区別して判定するものであることを特徴とする請求項１記載の遊技機の管理手段。
【手続補正２】
【補正対象書類名】明細書
【補正対象項目名】００１１
【補正方法】削除
【補正の内容】
【手続補正３】
【補正対象書類名】明細書
【補正対象項目名】００１２
【補正方法】削除
【補正の内容】
【手続補正４】
【補正対象書類名】明細書
【補正対象項目名】００１９
【補正方法】削除
【補正の内容】
【手続補正５】
【補正対象書類名】明細書
【補正対象項目名】００２０
【補正方法】削除
【補正の内容】
【手続補正６】
【補正対象書類名】明細書
【補正対象項目名】００２１
【補正方法】削除
【補正の内容】
【手続補正７】
【補正対象書類名】明細書
【補正対象項目名】００２２
【補正方法】削除
【補正の内容】
【手続補正書】
【提出日】平成22年2月23日(2010.2.23)
【手続補正１】
【補正対象書類名】特許請求の範囲
【補正対象項目名】請求項２
【補正方法】変更
【補正の内容】
【請求項２】
前記信号ケーブルは電子部品が実装される一方面において前記回路基板と接続されていることを特徴とする請求項１記載の撮像装置。
【手続補正書】
【提出日】平成22年9月28日(2010.9.28)
【手続補正１】
【補正対象書類名】特許請求の範囲
【補正対象項目名】全文
【補正方法】変更
【補正の内容】
【特許請求の範囲】
【請求項１】
着用時に両目を覆うに足る形状及び大きさを有する横長のアイマスク形の本体部を備えた目用温熱具であって、
該本体部が、肌側シートと外側シートとそれらの間に配置された発熱体とを有し、
該肌側シートと該外側シートとは、それらの周縁部で接合されており、
該肌側シートの伸縮率が該外側シートの伸縮率より大である目用温熱具。
【請求項２】
前記発熱体がシート状発熱体であり、
該シート状発熱体に、該シート状発熱体の変形を容易にする加工が施されている請求項１記載の目用温熱具。
【請求項３】
前記変形を容易にする加工が、一方向へ延びる切れ込みを多条に形成するものである請求項２記載の目用温熱具。
【請求項４】
少なくとも前記肌側シートが、伸長状態で接合されている請求項１ないし３のいずれかに記載の目用温熱具。
【請求項５】
着用前の状態において、前記本体部における少なくとも周縁部が、着用者の肌側へ向けて反り上がり、前記本体部が外側に向けて凸状に湾曲している請求項１ないし４のいずれかに記載の目用温熱具。
【手続補正書】
【提出日】平成22年9月23日(2010.9.23)
【手続補正１】
【補正対象書類名】特許請求の範囲
【補正対象項目名】全文
【補正方法】変更
【補正の内容】
【特許請求の範囲】
【請求項１】
遊技機前面部を構成する遊技機前面体と、
前記遊技機前面体の前面側に設けられ光を発する発光体、及び当該発光体を遊技機前方から覆う透光性を持ったカバー部材、を有する発光部と、
前記発光体を遊技状態に応じて制御する発光体制御手段と
を備えた遊技機において、
前記発光部が、前記発光体と前記カバー部材との間に、前記発光体が発する光が入射され且つその入射光よりも光量を低減させた光が前記カバー部材に向けて射出される光透過部材を備えることを特徴とする遊技機。
【請求項２】
遊技を実行させる遊技装置を前記遊技機前面体の背後に備える遊技機であって、
前記遊技機前面体に、遊技機前方から前記遊技装置を視認可能な透視窓を設け、
前記発光部を、前記透視窓の上部と同透視窓の左右両側部のうち少なくとも一方の側部の一部とを囲む構成とし、前記発光部における前記透視窓の上側部分に前記光透過部材を配設したことを特徴とする請求項１に記載の遊技機。
【請求項３】
前記光透過部材を前記発光体の前方に複数重ねて設けたことを特徴とする請求項１又は請求項２に記載の遊技機。
【請求項４】
遊技機前面側に配置されたランプ装置を備え、そのランプ装置が発光制御されることにより遊技状況に応じた発光がなされる遊技機であって、
前記ランプ装置は、
部品搭載面に複数の発光体が搭載されており、かつ当該部品搭載面が前方に向けられている発光体搭載基板と、
その発光体搭載基板の前方に配置され、遊技機の左右方向へ延びるとともに前記発光体から発せられた光を透過する光透過部材と
を備え、
前記光透過部材は、
左右の両壁部同士が前方ほど近づくように膨出する膨出部を左右方向に複数備えているとともに、隣り合う膨出部の互いに近い後端部同士を連結する連結部を複数備えており、
前記発光体は、前記連結部の後方に配置されており、
前記発光体の前方には、当該発光体から発せられる光を前記膨出部の後方寄りに偏らせるレンズ部が設けられており、
前記膨出部の後方には、前記レンズ部を介して到達する光を反射させて、前記膨出部のうち当該光を発した発光体に近い側の前記壁部に導く光反射部が設けられていることを特徴とする遊技機。
【請求項５】
同一の前記連結部の後方に前記発光体として第１発光体及び第２発光体が配置されており、
前記第１発光体は当該連結部に連結されている一対の膨出部のうち一方の膨出部へ向けて光を発するものであるとともに、前記第２発光体は他方の膨出部へ向けて光を発するものであり、
さらに、第１発光体と第２発光体との間に光を遮る側方遮光部が設けられているとともに、これら各発光体が前記レンズ部を介して前方へ発する光の全部又は一部を遮る前方遮光部が設けられていることを特徴とする請求項４に記載の遊技機。
【請求項６】
前記膨出部の前記壁部は前記連結部から遊技機前方に起立しており、
前記レンズ部は、遊技機正面視にて前記膨出部の前記壁部に重なる位置に配置されていることを特徴とする請求項４又は請求項５に記載の遊技機。
【手続補正書】
【提出日】平成22年5月24日(2010.5.24)
【手続補正１】
【補正対象書類名】特許請求の範囲
【補正対象項目名】請求項１
【補正方法】変更
【補正の内容】
【請求項１】
身体側の第１の板体と、支持側の第２の板体の中央部間に空気圧検出用の変形可能な空気収容体を介装すると共に、第１の板体の周囲側を支持する支持突起を設けたことを特徴とする生体情報収集装置。
【手続補正２】
【補正対象書類名】明細書
【補正対象項目名】０００６
【補正方法】変更
【補正の内容】
【０００６】
本発明では、上述した課題を解決するために、身体側の第１の板体と、支持側の第２の板体の中央部間に空気圧検出用の変形可能な空気収容体を介装すると共に、第１の板体の周囲側を支持する支持突起を設けた生体情報収集装置を提案する。
【手続補正書】
【提出日】平成22年9月23日(2010.9.23)
【手続補正１】
【補正対象書類名】特許請求の範囲
【補正対象項目名】全文
【補正方法】変更
【補正の内容】
【特許請求の範囲】
【請求項１】
遊技機前面部を構成する遊技機前面体と、
前記遊技機前面体の前面側に設けられ光を発する発光体と、
前記発光体の前方に設けられ光透過性を有する光透過部材と、
前記発光体を遊技状態に応じて制御する発光体制御手段と
を備え、
前記発光体から発せられた光が、前記光透過部材を介して遊技機前方に射出される遊技機において、
前記光透過部材に設けられ、前記光透過部材の本体部から遊技機前方に向かって膨出するとともに、遊技機における前後方向及び左右方向と交差する壁面を備える壁部を有してなる膨出部と、
前記発光体からの光を前記壁部に向けて反射する光反射部と
を備えていることを特徴とする遊技機。
【請求項２】
前記膨出部の左右両側部分に前記壁部が形成されており、
前記光反射部が、遊技機正面視において前記膨出部の両壁部の間に配置されているとともに、前記発光体は、前記光反射部を挟んでその左右に配置されていることを特徴とする請求項１に記載の遊技機。
【請求項３】
前記発光体からの光を前記光反射部に導く導光部材を備え、
前記光透過部材の前記本体部は壁面を前後方向に向けた本体壁部を少なくとも２つ有し、それら本体壁部は遊技機前方に膨出している膨出部によって繋がれており、
前記導光部材は遊技機正面視において前記本体壁部と重なった状態で配置されていることを特徴とする請求項１又は請求項２に記載の遊技機。
【請求項４】
前記膨出部の前記壁部は遊技機前方に起立しており、
前記発光体は、遊技機正面視にて前記壁部に重なる位置に配置されていることを特徴とする請求項１乃至請求項３のいずれか１つに記載の遊技機。
【請求項５】
前記光透過部材の前記本体部は壁面を前後方向に向けた本体壁部を少なくとも２つ有し、それら本体壁部は遊技機前方に膨出している膨出部によって繋がれており、
前記壁部は、前記膨出部の前記本体壁部から遊技機前方に起立するようにして形成されており、
前記光透過部材は前記発光体の前方に重ねて設けられた前側光透過部材及び後側光透過部材を有してなり、
前記前側光透過部材の前記壁部と前記後側光透過部材の前記壁部とは、隙間を隔てて相対向するとともに、遊技機正面視にて互いの少なくとも一部が重なるようにして形成されており、
前記発光体は、前記前側光透過部材の前記壁部に対して遊技機正面視にて重なる位置に配置されており、
前記光反射部は当該光反射部の反射面が、前記後側光透過部材の前記壁部に対して遊技機正面視にて重なるようにして配置されていることを特徴とする請求項１乃至請求項４のいずれか１つに記載の遊技機。
【手続補正書】
【提出日】平成22年3月12日(2010.3.12)
【手続補正１】
【補正対象書類名】手続補正書
【補正対象項目名】その他
【補正方法】削除
【補正の内容】
【手続補正書】
【提出日】平成22年6月23日(2010.6.23)
【手続補正１】
【補正対象書類名】特許請求の範囲
【補正対象項目名】全文
【補正方法】変更
【補正の内容】
【特許請求の範囲】
【請求項１】
プレイヤが円板体を投入する円板体投入手段と、
投入された前記円板体を蓄積する円板体蓄積手段と、
複数種類のゲームプログラムから１つのゲームプログラムを選択するゲーム選択手段と、
前記ゲーム選択手段が選択した前記ゲームプログラムを実行して、そのゲームプログラムに応じたゲーム処理を実行するゲーム処理手段と、
前記プレイヤの操作により、時計回り及び反時計回りのいずれにも回転可能なハンドルと、を備え、
前記ゲーム処理手段は、
所定の画像をゲーム画面に出現させる出現処理手段と、
前記ハンドルの操作に応じて、前記ゲーム画面に表示された操作オブジェクトの動きを制御する操作オブジェクト駆動処理手段と、
前記操作オブジェクトに応じて、前記ゲーム画面に出現した前記所定の画像の運動を制御する運動処理手段と、
前記所定の画像が払い出し条件を満足したときに、蓄積された前記円板体を払い出す処理を実行する円板体払い出し手段と、を含むゲーム装置。
【請求項２】
前記ゲーム処理手段は、前記ゲーム画面に表示された、前記プレイヤが運動を制御できない自動オブジェクトを制御する自動オブジェクト駆動処理手段をさらに含む請求項１記載のゲーム装置。
【請求項３】
前記円板体蓄積手段の下部に設けられる開口部に接続される案内部材と、
前記開口部から前記案内部材へ、前記円板体が放出されたことを検知する円板体放出検知手段と、をさらに備え、
前記円板体放出検知手段は、
光を発光する第１の発光素子と、
前記第１の発光素子が発光した光を検知する第１の受光素子と、を含み、
前記第１の発光素子の光が前記円板体の側面により遮光されるように、前記第１の発光素子及び前記第１の受光素子が、前記案内部材に設けられる、請求項１又は２記載のゲーム装置。
【請求項４】
前記円板体投入手段へ前記円板体が投入されたことを検知する円板体投入検知手段をさらに備え、
前記円板体投入検知手段は、
光を発光する第２の発光素子と、
前記第２の発光素子が発光した光を検知する第２の受光素子と、を含み、
前記第２の発光素子の光が前記円板体の側面により遮光されるように、前記第２の発光素子及び前記第２の受光素子が、前記円板体入力手段に設けられる、請求項１から３のいずれかに記載のゲーム装置。
【請求項５】
前記ハンドルは、その裏面に第１の凸部、第２の凸部、及び、第３の凸部を有し、
前記ゲーム装置は、
前記ハンドルが基準位置にあるとき、前記第１の凸部と向き合うように、固定して設けられるストッパと、
トーションスプリングと、をさらに備え、
前記ハンドルが基準位置にあるとき、前記第１の凸部及び前記ストッパを二本の足で挟むように、前記トーションスプリングは配置され、
前記ハンドルが回転すると、前記ストッパによって、前記トーションスプリングの一方の足の前記回転の方向への動きが規制され、前記トーションスプリングの他方の足が前記第１の凸部によって、前記回転の方向へ開かれ、前記第２の凸部又は前記第３の凸部が前記ストッパに接触したときに、前記回転が停止する、請求項１から４のいずれかに記載のゲーム装置。
【請求項６】
プレイヤの操作により、時計回り及び反時計回りのいずれにも回転可能なハンドルを使用するゲーム方法であって、
複数種類のゲームプログラムから１つのゲームプログラムを選択する選択ステップと、
前記選択ステップが選択した前記ゲームプログラムを実行して、そのゲームプログラムに応じたゲーム処理を実行するゲームステップと、を含み、
前記ゲームステップは、
所定の画像をゲーム画面に出現させるステップと、
前記ハンドルの操作に応じて、前記ゲーム画面に表示された操作オブジェクトの動きを制御するステップと、
前記操作オブジェクトに応じて、前記ゲーム画面に出現した前記所定の画像の運動を制御する運動処理手段と、
前記所定の画像が払い出し条件を満足したときに、蓄積された前記円板体を払い出す処理を実行するステップと、を含むゲーム方法。
【請求項７】
プレイヤの操作により、時計回り及び反時計回りのいずれにも回転可能なハンドルを有するゲーム装置のコンピュータを、
複数種類のゲームプログラムから１つのゲームプログラムを選択するゲーム選択手段、及び
前記ゲーム選択手段が選択した前記ゲームプログラムを実行して、そのゲームプログラムに応じたゲーム処理を実行するゲーム処理手段、として機能させ、
前記ゲーム処理手段は、
所定の画像をゲーム画面に出現させる出現処理手段と、
前記ハンドルの操作に応じて、前記ゲーム画面に表示された操作オブジェクトの動きを制御する操作オブジェクト駆動処理手段と、
前記操作オブジェクトに応じて、前記ゲーム画面に出現した前記所定の画像の運動を制御する運動処理手段と、
前記所定の画像が払い出し条件を満足したときに、蓄積された前記円板体を払い出す処理を実行する円板体払い出し手段と、を含むゲームプログラム。
【手続補正書】
【提出日】平成22年7月29日(2010.7.29)
【手続補正１】
【補正対象書類名】特許請求の範囲
【補正対象項目名】全文
【補正方法】変更
【補正の内容】
【特許請求の範囲】
【請求項１】
遊技の進行を制御する主制御基板と、
該主制御基板からのコマンドに基づいて演出としてステッピングモータの駆動を制御する周辺制御基板と、
を備えるパチンコ遊技機であって、
前記周辺制御基板は、少なくとも、
前記ステッピングモータの出力軸の回転速度を切り替えるデータが記憶されるデータ記憶制御手段と、
該データ記憶制御手段に記憶されるデータに基づいて前記ステッピングモータの出力軸の回転速度を切り替える回転速度切り替え制御手段と、
該回転速度切り替え制御手段が前記ステッピングモータの出力軸の回転速度を切り替えて該切り替えた回転速度が維持されている時間を計測する定速時間計測制御手段と、
該定速時間計測制御手段が計測した時間が予め定めた時間を経過したか否かを判定する判定制御手段と、
前記ステッピングモータのトルクを維持又は切り替えるトルク維持切り替え制御手段と、
を備え、
前記トルク維持切り替え制御手段は、前記定速時間計測制御手段が計測した時間が前記予め定めた時間を経過していないと前記判定制御手段が判定したときには前記ステッピングモータのトルクを維持する一方、前記定速時間計測制御手段が計測した時間が前記予め定めた時間を経過したと前記判定制御手段が判定したときにはその維持した前記ステッピングモータのトルクより小さいトルクに当該ステッピングモータのトルクを切り替えることを特徴とするパチンコ遊技機。
【請求項２】
前記データ記憶制御手段に記憶される前記ステッピングモータの出力軸の回転速度を切り替えるデータは、台形制御に基づいて作成され、
前記トルク維持切り替え制御手段は、前記データ記憶制御手段に記憶される前記ステッピングモータの出力軸の回転速度を切り替えるデータに従うことなく、独立して、前記定速時間計測制御手段が計測した時間が前記予め定めた時間を経過していないと前記判定制御手段が判定したときには前記ステッピングモータのトルクを維持する一方、前記定速時間計測制御手段が計測した時間が前記予め定めた時間を経過したと前記判定制御手段が判定したときにはその維持した前記ステッピングモータのトルクより小さいトルクに当該ステッピングモータのトルクを強制的に切り替えることを特徴とする請求項１に記載のパチンコ遊技機。
【手続補正２】
【補正対象書類名】明細書
【補正対象項目名】００１４
【補正方法】変更
【補正の内容】
【００１４】
本発明の請求項１においては、演出の仕様が変更されてもトルク管理データを作成し直すことなく、ステッピングモータの発熱を抑えることができる。請求項２においては、プログラム開発者は、ステッピングモータの出力軸の速度の制御を行うプログラムと、ステッピングモータのトルクの維持又は切り替える制御を行うプログラムと、を切り離して個別に開発することができる。
【手続補正書】
【提出日】平成22年6月4日(2010.6.4)
【手続補正１】
【補正対象書類名】特許請求の範囲
【補正対象項目名】全文
【補正方法】変更
【補正の内容】
【特許請求の範囲】
【請求項１】
放射線源から曝射される放射線によって得られる被写体の放射線画像情報を検出する放射線画像情報検出器と、
前記放射線画像情報検出器を収容する筐体と、
放熱手段とを備え、
前記放射線画像情報検出器は、センサ基板と、前記センサ基板を構成する画素に接続されるゲート線を駆動するための駆動用回路と、前記画素から信号線を介して電荷情報を読み出す読出回路を含み、
前記放熱手段を構成する放熱部材は前記読出回路に対応して設けられるとともに前記筐体の内面に接して該読出回路が稼動時に発生する熱を該筐体を介して外部に放出することを特徴とする放射線画像撮影装置。
【請求項２】
請求項１記載の装置において、前記放熱手段は第１放熱部材と第２放熱部材とからなり、前記第２放熱部材は前記放射線画像情報検出器を構成するセンサ基板に接していることを特徴とする放射線画像撮影装置。
【請求項３】
請求項１又は２に記載の装置において、
前記読出回路は前記第１放熱部材と第２放熱部材の間に介装され、前記第１放熱部材と第２放熱部材とが固定手段によって相互に固定されていることを特徴とする放射線画像撮影装置。
【請求項４】
請求項３記載の装置において、
前記固定手段は、ボルトからなり、前記第１放熱部材と第２放熱部材は前記ボルトを緊締することにより固定されることを特徴とする放射線画像撮影装置。
【請求項５】
請求項２乃至４のいずれかに記載の装置において、
前記第１放熱部材は、前記読出回路を構成する読出用ＩＣの一方の面側に配置され、前記第２放熱部材は、前記読出用ＩＣの他方の面側に配置されることを特徴とする放射線画像撮影装置。
【請求項６】
請求項２乃至５のいずれかに記載の装置において、
前記第１放熱部材と第２放熱部材により前記読出回路に接続される信号線を挟持することを特徴とする放射線画像撮影装置。
【請求項７】
請求項１乃至６のいずれかに記載の装置において、
前記筐体は、前記放射線源に対向した照射面が放射線を透過させる材料によって形成され、該筐体の前記照射面の反対側の面が熱伝導率の高い材料によって形成されていることを特徴とする放射線画像撮影装置。
【請求項８】
請求項７記載の装置において、
前記筐体の放射線の照射面を被写体を透過した放射線の散乱線を除去するグリッドで構成することを特徴とする放射線画像撮影装置。
【請求項９】
請求項２乃至８のいずれかに記載の装置において、
前記筐体の内部に、被写体を透過した放射線の散乱線を除去するグリッドと、前記放射線画像情報検出器と、該放射線画像情報検出器を構成する読出用ＩＣから放熱される熱を放出する第１と第２放熱部材とが配設されることを特徴とする放射線画像撮影装置。
【請求項１０】
請求項１乃至９のいずれかに記載の装置において、
前記駆動用回路は、前記センサ基板を構成する画素に接続されるゲート線を駆動するための駆動用ＩＣからなり、前記読出回路は前記画素から信号線を介して電荷情報を読み出すための読出用ＩＣからなり、前記読出用ＩＣに前記放熱部材を設けることを特徴とする放射線画像撮影装置。
【請求項１１】
請求項１０記載の装置において、
前記駆動用ＩＣとゲート線に放熱部材を設けることを特徴とする放射線画像撮影装置。
【請求項１２】
請求項２乃至１１のいずれかに記載の装置において、
前記第２放熱部材は、前記センサ基板に配列される読出用ＩＣと信号線に沿って延在する長尺状であることを特徴とする放射線画像撮影装置。
【請求項１３】
請求項６乃至１２のいずれかに記載の装置において、
前記第１放熱部材の一面には前記読出回路を構成する読出用ＩＣと前記読出用ＩＣに接続される信号線を逃げるための凹部が形成されていることを特徴とする放射線画像撮影装置。
【請求項１４】
請求項１３記載の装置において、
前記凹部の深さは、前記第１放熱部材と第２放熱部材とが固定された状態でその底面と前記第２放熱部材の外面とが前記読出用ＩＣと信号線の両面に密着可能であることを特徴とする放射線画像撮影装置。
【請求項１５】
請求項６乃至１２のいずれかに記載の装置において、
前記第１放熱部材と、第２放熱部材と、読出用ＩＣと信号線との間に密着部材を介在させることを特徴とする放射線画像撮影装置。
【請求項１６】
請求項１５記載の装置において、
前記密着部材は、電気絶縁性部材であることを特徴とする放射線画像撮影装置。
【請求項１７】
請求項１乃至１６のいずれかに記載の装置において、
前記放熱部材は前記読出回路を放射線に対して遮蔽する位置に配設されていることを特徴とする放射線画像撮影装置。
【請求項１８】
請求項２乃至１７のいずれかに記載の装置において、
前記第１放熱部材の放射線照射側を延在させ、前記第１放熱部材により放射線画像情報検出器を構成するセンサ基板に接続される信号線を覆うことを特徴とする放射線画像撮影装置。
【請求項１９】
請求項２乃至１８のいずれかに記載の装置において、
前記第１放熱部材は放射線画像情報検出器を構成する読出用ＩＣ及び前記読出用ＩＣに接続される信号線を収容することを特徴とする放射線画像撮影装置。
【手続補正２】
【補正対象書類名】図面
【補正対象項目名】図９
【補正方法】変更
【補正の内容】
【図９】
2009082297.tif 000001
【手続補正書】
【提出日】平成22年9月29日(2010.9.29)
【手続補正１】
【補正対象書類名】特許請求の範囲
【補正対象項目名】全文
【補正方法】変更
【補正の内容】
【特許請求の範囲】
【請求項１】
遊技用価値を用いて１ゲームに対して所定数の賭数を設定することによりゲームを開始させることが可能となり、複数の可変表示部において各々が識別可能な複数種類の識別情報を変動表示させる可変表示装置に表示結果が導出されることにより１ゲームが終了し、該可変表示装置に導出された表示結果に応じて入賞が発生可能であるスロットマシンにおいて、
ゲーム毎に前記可変表示装置の表示結果が導出されるより前に、入賞表示結果の導出を許容するか否かを決定する事前決定手段と、
前記複数の可変表示部における識別情報の変動表示をそれぞれ停止させるために遊技者により操作される複数の停止操作手段と、
前記事前決定手段の決定結果と前記複数の停止操作手段の操作手順とに応じて前記可変表示装置に表示結果を導出させる導出制御手段と、
前記事前決定手段の決定結果が所定の決定結果であるときに導出可能な有利表示結果が前記可変表示装置の表示結果として導出されたときに、通常遊技状態よりも遊技者にとって有利な有利状態に遊技状態を制御する有利状態制御手段と、
前記事前決定手段の決定結果が所定の決定結果であるときにおいて有利報知条件が成立しているときに、前記有利表示結果を導出可能であることが特定可能な情報を報知する有利情報報知手段とを備え、
前記導出制御手段は、前記事前決定手段の決定結果が所定の決定結果であるときにおいて、前記複数の停止操作手段が所定の順序で操作されたことを条件として前記有利表示結果を導出させる有利表示結果導出手段を含み、
前記スロットマシンは、前記有利情報報知手段により情報が報知されていないときにおいて前記停止操作手段が前記所定の順序で操作されたときに、遊技者に所定の不利益を生じさせる
ことを特徴とするスロットマシン。